(57)【要約】【課題】  照明の輝度変化に伴う違和感を軽減できる車両用表示装置を提供する。【解決手段】  アイドルストップを行う車両に搭載され、前記車両に搭載されるバッテリからの電源供給を受ける車両用表示装置であって、前記車両の情報を表示する表示手段２と、表示手段２を照明する照明手段３と、前記アイドルストップ状態であるか否かを判定するための信号を入力するとともに、表示手段２及び照明手段３を制御する制御手段１とを備え、制御手段１は、アイドルストップ状態にて照明手段３を減光させるとともに、前記アイドルストップ状態から復帰した後に、前記車両の走行速度、または走行距離に応じて、徐々に照明輝度を高めるように照明手段３を制御してなる。【選択図】  図１
2011031822.tif 000002
【特許請求の範囲】
【請求項１】
アイドルストップを行う車両に搭載され、
前記車両に搭載されるバッテリからの電源供給を受ける車両用表示装置であって、
前記車両の情報を表示する表示手段と、前記表示手段を照明する照明手段と、
前記アイドルストップ状態であるか否かを判定するための信号を入力するとともに、前記表示手段及び前記照明手段を制御する制御手段とを備え、
前記制御手段は、アイドルストップ状態にて前記照明手段を減光させるとともに、前記アイドルストップ状態から復帰した後に、前記車両の走行速度、または走行距離に応じて、徐々に照明輝度を高めるように前記照明手段を制御してなることを特徴とする車両用表示装置。
【請求項２】
前記制御手段は、前記車両がアイドルストップ状態へ移行する際に、徐々に照明輝度を低めるように前記照明手段を制御してなることを特徴とする請求項１に記載の車両用表示装置。
【請求項３】
前記照明手段は、前記表示手段が表示する車両情報を照明する車両情報照明部と、車両情報以外の意匠を照明する演出照明部と設けてなり、
前記制御手段は、前記アイドルストップ状態から復帰した後に、前記車両情報照明部よりも前記演出照明部が遅れて通常輝度へ高まるように、前記照明手段を制御してなることを特徴とする請求項１に記載の車両用表示装置。
【発明の詳細な説明】
【技術分野】
【０００１】
アイドルストップを行う車両に搭載され、前記車両に搭載されるバッテリからの電源供給を受ける車両用表示装置に関し、特に、表示の照明を行う車両用表示装置に関する。
【背景技術】
【０００２】
従来、省エネルギーあるいは地球環境保護を目的として、アイドルストップ機能を搭載した車両がある。例えば、信号待ち等の比較的短い停止時間や、人の乗降、荷物の積み下ろしなど、比較的長い時間、イグニッションスイッチをオンにしたまま、エンジンを停止させるものである。
【０００３】
この種のアイドルストップを行う車両に搭載される計器などの車両用表示装置は、バッテリからの電力供給によって駆動することができ、例えば、特許文献１に記載されているように、アイドルストップ状態であるときに、バッテリへの負担を軽減するために、照明輝度を減光させることが望まれている。
【先行技術文献】
【特許文献】
【０００４】
【特許文献１】特開２００６−２５６３９７号公報
【発明の概要】
【発明が解決しようとする課題】
【０００５】
しかしながら、前述した車両用表示装置は、例えば、アイドルストップ状態から復帰する際に、照明が急激に高まるなどして、車両利用者に違和感を与えてしまう場合があった。また、利用者の意図しないタイミングにおいて照明が急激に変化する違和感によって、必要以上に車両用表示装置を注目させてしまう可能性があった。
【０００６】
そこで本発明の目的とするところは、上述した課題に着目してなされたものであり、照明の輝度変化に伴う違和感を軽減できる車両用表示装置を提供することにある。
【課題を解決するための手段】
【０００７】
本発明の車両用表示装置は、アイドルストップを行う車両に搭載され、前記車両に搭載されるバッテリからの電源供給を受ける車両用表示装置であって、前記車両の情報を表示する表示手段と、前記表示手段を照明する照明手段と、前記アイドルストップ状態であるか否かを判定するための信号を入力するとともに、前記表示手段及び前記照明手段を制御する制御手段とを備え、前記制御手段は、アイドルストップ状態にて前記照明手段を減光させるとともに、前記アイドルストップ状態から復帰した後に、前記車両の走行速度、または走行距離に応じて、徐々に照明輝度を高めるように前記照明手段を制御してなることを特徴とする。
【０００８】
また、前記制御手段は、前記車両がアイドルストップ状態へ移行する際に、徐々に照明輝度を低めるように前記照明手段を制御してなることを特徴とする。
【０００９】
また、前記照明手段は、前記表示手段が表示する車両情報を照明する車両情報照明部と、車両情報以外の意匠を照明する演出照明部と設けてなり、前記制御手段は、前記アイドルストップ状態から復帰した後に、前記車両情報照明部よりも前記演出照明部が遅れて通常輝度へ高まるように、前記照明手段を制御してなることを特徴とする。
【発明の効果】
【００１０】
本発明は、アイドルストップを行う車両に搭載され、前記車両に搭載されるバッテリからの電源供給を受ける車両用表示装置に関し、照明の輝度変化に伴う違和感を軽減できる。
【図面の簡単な説明】
【００１１】
【図１】本発明の実施の形態における構成を示すブロック図。
【図２】同上実施の形態の各状態におけるタイミング例を示す図。
【図３】同上実施の形態の別例を示す図。
【発明を実施するための形態】
【００１２】
以下、本発明の実施の形態として、本発明の車両用表示装置が速度計を含む車両用計器に適用されたものを例にあげて、添付図面を用いて説明する。
【００１３】
図１は、車両用計器の構成を示す図であり、制御手段１と、表示手段２と、照明手段３と、を備え、外形は、周知の車両用計器と同等である。
【００１４】
制御手段１は、例えば、マイクロコンピュータを適用でき、記憶部に格納された制御プログラムに従って本実施の形態に係る制御を含む各種の処理を実行する演算部、車両のＥＣＵなど他の機器から各種車両情報を入力するとともに、表示手段２や照明手段３と接続するための入出力インターフェースを備えている。制御手段１は、イグニションスイッチの状態信号や車輪の回転情報などを含む各種車両情報の入力し、これら情報に基づく演算処理によって、車両の走行速度や走行距離などを演算し、表示手段１へ計測値の表示を促す制御信号や、照明手段２へ表示手段１の照明輝度を調整する制御信号を生成し、それぞれへ発するように構成されている。
【００１５】
表示手段２は、バッテリからの電源供給を受けて駆動するものであり、制御手段１からの制御信号に基づいて、計測値等を表示するものである。この場合、表示手段２は、前記制御信号に基づいて回動する指針とこの指針の指示対象となる目盛りや数字、文字からなる指標を有する文字板とによって構成される所謂アナログ計器と、液晶表示パネルによって構成されるパネル表示部と、警報状態やインジケータを表示するための表示部などからなる車両情報表示部と、文字板を囲うリングなどデザイン的な演出を行う意匠部とを備えた複合計器が用いられる。表示手段２のアナログ計器としては、例えば、車両の走行速度を示す速度計やエンジン回転数計、燃料計、水温計から構成でき、パネル表示部には積算走行距離や外気温度などを切り換え表示できるように構成できる。
【００１６】
照明手段３は、バッテリからの電源供給を受けて駆動するものであり、制御手段１からの制御信号に基づいて、所望の輝度で発光するように制御される。例えば、夜間であっても利用者が表示手段２による表示を視認できるように照明するものであり、この場合、表示手段２の背面側（表示面と反対側）に設けられる発光ダイオードを適用できる。なお、制御手段１は、パルス幅変調制御を用いて、照明手段３の発光輝度を制御することができる。また、この場合、照明手段３は、表示手段２の車両情報を表示する車両情報表示部を照明する車両情報照明部３１と、意匠を照明する演出照明部３２とを設けてなる。
【００１７】
次に本発明に係る制御手段１の処理について図２を用いて説明する。
【００１８】
図２は、各種状態の一例を示すものであり、制御手段１は、入力する各種車両情報を用いて、エンジン稼働状態からアイドルストップ状態（イグニションスイッチがオンのままエンジン停止状態）へ移行したか否かを判定し、アイドルストップ状態へ移行した場合には、エンジン稼働状態における通常輝度から徐々に照明輝度を減光させるように照明手段３を制御する。
【００１９】
なお、この場合、制御手段１は、照明輝度をエンジン稼働時より半分以下にして減光しており、バッテリの負荷を軽減する効果がある。また、制御手段１は、警報など利用者へ報知する優先順位が高いもの以外を選択的に減光、あるいは消灯するように照明手段３を制御することもできる。
【００２０】
また、この場合、制御手段１は、エンジン稼働状態からアイドルストップ状態へ移行したか否かの判定を、ＥＣＵからの専用のアイドルストップ情報（信号）を入力したか否かを判定することで実現することができるが、アイドルストップ情報に代替して、入力された各種車両情報を用いて、例えば、速度計の演算値から車両が停止し一定時間経過し、かつイグニションスイッチの状態や水温など所定条件を満たしているかを判別することで、アイドルストップに移行したか否かを判定することもできる。
【００２１】
次に、制御手段１は、アイドルストップ状態からエンジン稼働状態へ移行（復帰）したか否かを判定し、この条件を満たした場合には、車両の走行速度の変化に応じて徐々に通常輝度となるように照明手段３を制御する。この場合、制御手段１は、３０ｋｍ／ｈに達する時点で通常輝度となるように照明手段３を制御しており、再びアイドルストップ状態へ移行する、もしくはイグニションスイッチがオフされるまで減光しないようにしている。
【００２２】
なお、制御手段１は、アイドルストップ状態からエンジン稼働状態へ移行したか否かの判定を、ＥＣＵからの専用のアイドルストップ情報（信号）を入力したか否かを判定することで実現することができるが、例えば、ブレーキペダルの操作情報やスロットル開度の情報や、エンジンスタータ用セルモータの稼働情報などの情報から判定することもできる。
【００２３】
また、上述の制御手段１による照明手段３の制御（徐々に減光、または徐々に高める）において、図２のように連続して変化させてもよいし、段階的に変化させてもよい。なお、制御手段１は、照明輝度を高める上限（通常輝度）として、予め利用者が設定した照明輝度値、または照度センサの検出値を用いて算出される最適な照明輝度値とすることができる。
【００２４】
次に、別例として制御手段１の処理について図３を用いて説明する。
【００２５】
制御手段１は、入力する各種車両情報を用いて、エンジン稼働状態からアイドルストップ状態（イグニションスイッチがオンのままエンジン停止状態）へ移行したか否かを判定し、アイドルストップ状態へ移行した場合には、エンジン稼働状態における通常輝度から徐々に照明輝度を減光させるように照明手段３を制御する。
【００２６】
次に、制御手段１は、アイドルストップ状態からエンジン稼働状態へ移行（復帰）したか否かを判定し、この条件を満たした場合には、車両の走行距離の変化に応じて徐々に通常輝度となるように照明手段３を制御する。この場合、制御手段１は、１０ｍ走行した時点で車両情報照明部３１が通常輝度となるように照明手段３を制御し、１００ｍ走行した時点で演出照明部３２が通常輝度となるように照明手段３を制御しており、再びアイドルストップ状態へ移行する、もしくはイグニションスイッチがオフされるまで減光しないようにしている。
【００２７】
斯かる車両用表示装置は、アイドルストップを行う車両に搭載され、前記車両に搭載されるバッテリからの電源供給を受ける車両用表示装置であって、前記車両の情報を表示する表示手段２と、表示手段２を照明する照明手段３と、前記アイドルストップ状態であるか否かを判定するための信号を入力するとともに、表示手段２及び照明手段３を制御する制御手段１とを備え、制御手段１は、アイドルストップ状態にて照明手段３を減光させるとともに、前記アイドルストップ状態から復帰した後に、前記車両の走行速度、または走行距離に応じて、徐々に照明輝度を高めるように照明手段３を制御してなる。
【００２８】
従って、照明が急激に高まる場合に比べて、照明の輝度変化に伴う違和感を軽減できる。また、急激な照明変化を行わないため、車両用表示装置へ必要以上に利用者の注意を引くことを抑制できる。また、車両の環境下によっては、例えば、暗闇の中で利用者が車両の照明変化を注目していた場合においても、徐々輝度変化させることによって、利用者の明順応を考慮でき、眩しく感じさせることを抑制できる。また、運転に応じて輝度が高まるため、利用者が照明輝度を操作している感覚を与えることができ、違和感を軽減できる。
【００２９】
また、制御手段１は、前記車両がアイドルストップ状態へ移行する際に、徐々に照明輝度を低めるように照明手段３を制御してなることによって、急激に照明輝度が減光される場合に比べて、利用者が感じる違和感を軽減できる。
【００３０】
また、照明手段３は、表示手段２が表示する車両情報を照明する車両情報照明部３１と、車両情報以外の意匠を照明する演出照明部３２と設けてなり、制御手段１は、前記アイドルストップ状態から復帰した後に、車両情報照明部３１よりも演出照明部３２が遅れて通常輝度へ高まるように、照明手段３を制御してなることによって、優先度の高い車両情報を早めに通常輝度にて提供するとともに、その他の照明輝度を徐々に高めて、車両利用者に与える違和感を低減することができる。
【００３１】
なお、本発明の車両用表示装置を上述した実施の形態の構成にて例に挙げて説明したが、本発明はこれに限定されるものではなく、他の構成においても、本発明の要旨を逸脱しない範囲において種々の改良、並びに設計の変更が可能なことは勿論である。例えば、アイドルストップ状態から復帰した後に、数秒の遅延時間を設けてから、車両の走行速度、または走行距離に応じて、徐々に照明輝度を高めるように照明手段を制御することもできる。この場合、エンジン始動時の不安定な電源状態を避けて違和感のない安定した照明輝度変化を提供することができる。
【産業上の利用可能性】
【００３２】
本発明は、例えば、自動車やオートバイ、あるいは農業機械や建設機械を備えた移動体に搭載される車両用表示装置として適用できる。
【符号の説明】
【００３３】
１  制御手段
２  表示手段
３  照明手段
【図１】
2011031822.tif 000003
【図２】
2011031822.tif 000004
【図３】
2011031822.tif 000005